(57)【要約】【課題】  長時間の手術に臨む際にも、あるいは、重量が嵩む場合にも、使用者の鼻にかかる負担を軽減できる眼鏡フレーム、眼鏡を提供すること。【解決手段】  医用眼鏡フレーム１０は、左右の眼鏡レンズをそれぞれ保持するために環状に形成された左右のリム１１ａ，１１ｂを有する。左右のリム１１ａ，１１ｂは、渡り１２ａ，ブリッジ１２ｂにより接続され、リムの耳側には、装着時に側頭部に沿う左右のテンプル１３ａ，１３ｂが鎧１４ａ，１４ｂ、丁番を介して折り畳み可能に取り付けられている。テンプルの後ろ側に形成された通し孔Ｈには、装着時に後頭部に回り込んで全体を支えるストラップ２０が結びつけられている。リムの鼻側には、装着時に鼻に当たる左右の鼻用パッド１５ａ，１５ｂが取り付けられ、リムの上側には、装着時に額に当たる左右の額用パッド１６ａ，１６ｂが取り付けられている。【選択図】  図１
2005121984.tif 000002
【特許請求の範囲】
【請求項１】
左右の眼鏡レンズをそれぞれ保持する左右のリムと、
該左右のリムを接続する接続部材と、
前記左右のリムの耳側に取り付けられて装着時に側頭部に沿う左右のテンプルと、
該左右のテンプルの後ろ側に接続され、装着時に後頭部に回り込んで全体を支えるストラップと、
前記リムの鼻側に取り付けられて装着時に鼻に当たる左右の鼻用パッドと、
前記リムの上側に取り付けられて装着時に額に当たる額用パッドとを備えることを特徴とする眼鏡フレーム。
【請求項２】
前記額用パッドは、略左右対称の位置に一対備えられており、前記鼻用パッドと前記額用パッドとは、同一形状であることを特徴とする請求項１に記載の眼鏡フレーム。
【請求項３】
左右の眼鏡レンズと、
該左右の眼鏡レンズを接続する接続部材と、
前記左右の眼鏡レンズの耳側に取り付けられて装着時に側頭部に沿う左右のテンプルと、
該左右のテンプルの後ろ側に接続され、装着時に後頭部に回り込んで全体を支えるストラップと、
前記眼鏡レンズの鼻側に取り付けられて装着時に鼻に当たる左右の鼻用パッドと、
前記眼鏡レンズの上側に取り付けられて装着時に額に当たる額用パッドとを備えることを特徴とする眼鏡。
【請求項４】
前記左右の眼鏡レンズは、それぞれ左右のリムに保持されており、前記接続部材、前記テンプル、前記鼻用パッド、前記額用パッドは、前記リムに取り付けられていることを特徴とする請求項３に記載の眼鏡。
【請求項５】
前記額用パッドは略左右対称の位置に一対備えられており、前記鼻用パッドと前記額用パッドとは、同一形状であることを特徴とする請求項３または４に記載の眼鏡。
【請求項６】
前記左右の眼鏡レンズのそれぞれの中央に、対象物を拡大して観察するための拡大光学系ユニットが取り付けられていることを特徴とする請求項３〜５のいずれかに記載の眼鏡。
【発明の詳細な説明】
【技術分野】
【０００１】
本発明は、医師等の医療スタッフが手術中に装着するのに適した眼鏡、およびこのような眼鏡用として適した眼鏡フレームに関する。
【背景技術】
【０００２】
一般的な眼鏡フレームは、左右の眼鏡レンズをそれぞれ保持する左右のリムと、これらのリムを接続する接続部材と、各リムの耳側に取り付けられて装着時に側頭部に沿う左右のテンプルと、リムの鼻側に取り付けられて装着時に鼻に当たる左右の鼻用パッドとを備える。眼鏡を着用する際には、鼻用パッドを鼻にあて、テンプル先端の耳あて(モダン)部分を耳にかけることにより、頭部に固定する。
【０００３】
一方、医療スタッフが手術時に装着する医用眼鏡には、上記の一般的な眼鏡フレームを用いることが難しい。手術に臨む際には、医療スタッフは頭部に無菌帽をかぶるため、耳が無菌帽に覆われてモダン部分を耳にかけるのが難しいからである。このため、医用の眼鏡フレームには、左右のテンプルにストラップが取り付けられているものが多い。ストラップが取り付けられている場合には、両側のストラップを後頭部に回してストッパーで固定することにより、鼻用パッドとストラップとにより、フレームを耳にかけずに眼鏡を頭部に固定することができる。
【０００４】
なお、医用眼鏡には、通常の眼鏡レンズの他に術部を拡大して観察するための拡大光学系ユニットを取り付けたものがある。特許文献１には、このような医用眼鏡が開示されている。
【特許文献１】特開２００３−１９５１８５号公報  図２
【発明の開示】
【発明が解決しようとする課題】
【０００５】
しかしながら、従来の医用眼鏡フレームは、一般的な眼鏡フレームにストラップを取り付けただけの構造であるため、医用眼鏡の重量とストラップによる引張力とが鼻用パッドを介して使用者の鼻に作用し、鼻に負担がかかりやすい。特に、手術が長時間に及ぶ場合や、特許文献１に開示されたように拡大光学系ユニットが取り付けられて重量が嵩む場合には、負担が大きくなる。
【０００６】
本発明は、上述した従来技術の問題点に鑑みてなされたものであり、長時間の手術に臨む際にも、あるいは、眼鏡の重量が嵩む場合にも、使用者の鼻にかかる負担を軽減することができる眼鏡フレーム、およびこれを用いた眼鏡を提供することを目的とする。
【課題を解決するための手段】
【０００７】
本発明にかかる眼鏡フレームは、左右の眼鏡レンズをそれぞれ保持する左右のリムと、左右のリムを接続する接続部材と、左右リムの耳側に取り付けられて装着時に側頭部に沿う左右のテンプルと、左右のテンプルの後ろ側に接続され、装着時に後頭部に回り込んで全体を支えるストラップと、リムの鼻側に取り付けられて装着時に鼻に当たる左右の鼻用パッドと、リムの上側に取り付けられて装着時に額に当たる左右の額用パッドとを備えることを特徴とする。
【０００８】
また、本発明にかかる眼鏡は、左右の眼鏡レンズと、左右の眼鏡レンズを接続する接続部材と、左右の眼鏡レンズの耳側に取り付けられて装着時に側頭部に沿う左右のテンプルと、左右のテンプルの後ろ側に接続され、装着時に後頭部に回り込んで全体を支えるストラップと、眼鏡レンズの鼻側に取り付けられて装着時に鼻に当たる左右の鼻用パッドと、眼鏡レンズの上側に取り付けられて装着時に額に当たる額用パッドとを備えることを特徴とする。
【０００９】
眼鏡レンズは、左右のリムにそれぞれ保持させることができる。この場合、接続部材、テンプル、鼻用パッド、額用パッドは、リムを介して眼鏡レンズに間接的に取り付けられる。リムがないタイプの眼鏡では、接続部材、テンプル、鼻用パッド、額用パッドは、レンズに直接取り付けられる。
【００１０】
額用パッドは、単一でも複数でもよいが、左右対称の位置に一対備える場合には、鼻用パッドと額用パッドとを同一形状としてもよい。
【発明の効果】
【００１１】
本発明の眼鏡フレームおよび眼鏡を利用すれば、眼鏡の重量とストラップによる引張力とが鼻用パッドを介して鼻にかかると同時に、額用パッドを介して額にも分散されるため、鼻にかかる負担を減少させることができる。特に、長時間の手術に臨む際や、拡大光学系ユニットが装着された眼鏡を利用する場合には、鼻にかかる負担を顕著に削減することができる。また、本発明の医用眼鏡フレームは、鼻用、額用で少なくとも合計３箇所でパッドを顔面に当てることができるため、眼鏡を安定して頭部に固定することができ、ずり上がりやずり下がりを防ぐことができる。
【発明を実施するための最良の形態】
【００１２】
以下、この発明にかかる眼鏡フレームおよび眼鏡の実施形態を説明する。図１は、第１の実施形態にかかる医用眼鏡フレームの正面図、図２は、図１の医用眼鏡フレームの側面図、図３はストラップの説明図である。
【００１３】
第１の実施形態にかかる医用眼鏡フレーム１０は、図１および図２に示すように、左右の眼鏡レンズをそれぞれ保持するために環状に形成された左右のリム１１ａ，１１ｂを有する。左右のリム１１ａ，１１ｂは、渡り１２ａ，ブリッジ１２ｂにより接続され、リム１１ａ，１１ｂの耳側には、装着時に側頭部に沿う左右のテンプル１３ａ，１３ｂが鎧１４ａ，１４ｂ、丁番(図示せず)を介して折り畳み可能に取り付けられている。渡り１２ａおよびブリッジ１２ｂは、左右のリムを接続する接続部材としての機能を有する。
【００１４】
左のテンプル１３ａの後ろ側には、通し孔Ｈが形成されており、この通し孔Ｈには、装着時に後頭部に回り込んで全体を支えるストラップ２０が結びつけられている。図示は省略するが、右のテンプル１３ｂにも、同様にして通し孔が形成され、ストラップ２０が結びつけられている。２本のストラップ２０は、図３に示すように、ストッパー２１に挿し通されている。ストッパー２１は、ストラップ２０の任意の位置で固定可能であり、この固定位置を調整することにより、頭部の周囲長に応じて左右のテンプル間のストラップ長を調整することができる。
【００１５】
両リム１１ａ，１１ｂの鼻側には、装着時に鼻に当たる左右の鼻用パッド１５ａ，１５ｂが夫々取り付けられ、両リム１１ａ，１１ｂの上側には、装着時に額に当たる左右の額用パッド１６ａ，１６ｂが夫々取り付けられている。
【００１６】
鼻用パッド１５ａ，１５ｂは、基端がリム１１ａ，１１ｂに溶着されたクリングス１５ｃ，１５ｄの先端に、箱により変位可能に取り付けられている。同様に、額用パッド１６ａ，１６ｂも、基端がリム１１ａ，１１ｂに溶着されたクリングス１６ｃ，１６ｄの先端に、変位可能に取り付けられている。なお、上記の鼻用パッド１５ａと額用パッド１６ａは、同一形状の部材であり、鼻用パッド１５ｂと額用パッド１６ｂとも同一形状の部材である。このように、通常の眼鏡フレームに追加して設けられた額用パッド１６ａ，１６ｂに、既存の鼻用の部材と同一形状の部材を用いることにより、部品の共通化を進めることができ、構成部品が増加することによる製造コストの上昇を抑えることができる。
【００１７】
上記の医用眼鏡フレーム１０を利用すれば、眼鏡の重量とストラップによる引張力とが鼻用パッド１５ａ，１５ｂを介して鼻にかかると同時に、額用パッド１６ａ，１６ｂを介して額にも分散されるため、鼻にかかる負担を減少させることができる。
【００１８】
額用パッド１６ａ，１６ｂを額に当てるためには、リム１１ａ，１１ｂの径にもよるが、一般的にはリム１１ａ，１１ｂから額用パッド１６ａ，１６ｂの支持部(箱)までの距離が１０mm程度となるよう設定することが望ましい。これより距離が大きくなると、額用パッド１６ａ，１６ｂが手術時に医療スタッフがかぶる無菌帽にかかる可能性があり、好ましくない。
【００１９】
図４および図５は、第１の実施形態にかかる医用眼鏡フレーム１０の使用例を示し、図４は正面図、図５は側面図である。これらの図に示されるように、医用眼鏡フレーム１０のリム１１ａ，１１ｂに左右の眼鏡レンズ３０，３１を組み込み、これらの眼鏡レンズ３０，３１の中心部に開口を形成して左右の拡大光学系ユニット４０，４１を取り付けて医用眼鏡１００が構成されている。
【００２０】
拡大光学系ユニット４０，４１は、図示は省略するが、物体側に配置された正のパワーを持つ対物レンズと、この対物レンズを介して入射する光を２回内面反射させて光路を偏向するプリズムと、このプリズムにより偏向された光を眼に導く負のパワーを持つ接眼レンズとから構成されており、両目で物体を拡大して立体的に観察することができる。
【００２１】
このように、拡大光学系ユニット４０，４１が装着された医用眼鏡１００は、眼鏡本体の重量３０〜５０グラムに加えて拡大光学系ユニット４０，４１の重量４０〜６０グラムが加わるため、従来の眼鏡フレームでは鼻に対する負担が大きくなる。これに対して、実施形態の眼鏡フレーム１０を利用すると、額用パッド１６ａ，１６ｂを介して額にも重量を分散させることができるため、鼻にかかる負担を顕著に削減することができる。
【００２２】
また、第１の実施形態の医用眼鏡フレーム１０は、鼻用、額用でそれぞれ２箇所ずつ、合計４箇所でパッドを顔面に当てることができるため、眼鏡を安定して頭部に固定することができ、ずり上がりやずり下がりを防ぐことができる。
【００２３】
図６は、第２の実施形態にかかる医用眼鏡フレーム１０Ａを使用した医用眼鏡１００Ａを示す正面図である。第２の実施形態にかかる医用眼鏡フレーム１０Ａは、左右の幅が広い単一の額用パッド１６ｅがクリングス１６ｃ，１６ｄを介してリム１１ａ，１１ｂに取り付けられている点で第１の実施形態の医用眼鏡フレーム１０とは異なる。医用眼鏡１００Ａの他の構成は、第１の実施形態の医用眼鏡フレーム１０を使用した医用眼鏡１００と同一である。
【００２４】
すなわち、医用眼鏡フレーム１０Ａのリム１１ａ，１１ｂに左右の眼鏡レンズ３０，３１を組み込み、これらの眼鏡レンズ３０，３１の中心部に開口を形成して左右の拡大光学系ユニット４０，４１を取り付けて医用眼鏡１００Ａが構成されている。
【００２５】
なお、図示は省略するが、テンプル１３ａ，１３ｂの後ろ側には、装着時に後頭部に回り込んで全体を支えるストラップが第１の実施形態と同様に結びつけられている。
【００２６】
第２の実施形態の医用眼鏡フレーム１０Ａは、鼻用に２つ、額用に１つ、合計３カ所でパッドを顔面に当てることができる。額用パッド１６ｅは、単一であっても左右の幅が広いため、第１の実施形態と同様に、眼鏡を安定して頭部に固定することができる。
【図面の簡単な説明】
【００２７】
【図１】第１の実施形態にかかる医用眼鏡フレームを示す正面図である。
【図２】図１の医用眼鏡フレームの側面図である。
【図３】図１の医用眼鏡フレームに接続されたストラップの説明図である。
【図４】図１の医用眼鏡フレームを使用した医用眼鏡の正面図である。
【図５】図５に示す双眼拡大鏡の側面図である。
【図６】第２の実施形態にかかる医用眼鏡フレームを使用した医用眼鏡示す正面図である。
【符号の説明】
【００２８】
１０，１０Ａ  医用眼鏡フレーム
１１ａ，１１ｂ  リム
１２ａ  渡り
１２ｂ  ブリッジ
１３ａ、１３ａ  テンプル
１５ａ，１５ｂ  鼻用パッド
１６ａ，１６ｂ  額用パッド
２０  ストラップ
３０，３１  眼鏡レンズ
４０，４１  拡大光学系ユニット
１００，１００Ａ  医用眼鏡
【図１】
2005121984.tif 000003
【図２】
2005121984.tif 000004
【図３】
2005121984.tif 000005
【図４】
2005121984.tif 000006
【図５】
2005121984.tif 000007
【図６】
2005121984.tif 000008